(57)【要約】【課題】簡単な機構で、かつコストを安価にした、いわゆる自動施錠機能を有する保管ボックス、ロッカーなどに使用できる錠装置であり、キーを使用せずに、扉を手で閉めただけで施錠することが出来、さらに、解錠する際には、例えば、カードをかざすだけであるいはボタンを押すだけで自動的に解錠できるなどの利点を有する錠装置を提供することを目的とする。【解決手段】本発明は先端側には施錠用フック部を有し、後端側には表面あるいは裏面が回動促進面とされた施錠部材と、前記回動促進面に接して前記施錠部材の施解錠方向への回動をスムーズにすると共に前記施錠部材の施錠後には、該施錠部材の端面に当接して施錠部材の解錠側回動を阻止するローラ部材と、前記施錠部材を施錠した後、前記ローラ部材を揺動して施錠部材端面との当接を解除させ、解錠するローラ部材揺動装置とを有することを特徴とする。【選択図】    図１
2018071109.tif 000002
【特許請求の範囲】
【請求項１】
解錠方向へ付勢力を有して略中間位置で回動可能に軸支され、先端側には施錠用フック部を有し、後端側には表面あるいは裏面が回動促進面とされた施錠部材と、
前記施錠部材の回動促進面側に付勢力を有して取り付けられ、前記回動促進面に接して前記施錠部材の施解錠方向への回動をスムーズにすると共に前記施錠部材の施錠後には、該施錠部材の端面に当接して施錠部材の解錠側回動を阻止するローラ部材と、
前記施錠部材を施錠した後、前記ローラ部材を揺動して施錠部材の端面との当接を解除させ、解錠するローラ部材揺動装置と、を有する、
ことを特徴とする錠装置。
【請求項２】
前記ローラ部材は、２個並列に取り付けられた、
ことを特徴とする請求項１記載の錠装置。
【請求項３】
前記施錠部材の施錠に際しては、施錠部材の施錠時に前記施錠部材の回動促進面が接しているローラ部材が施錠方向への回動を促進し、施錠部材の解錠に際しては、施錠部材の解錠時に前記施錠部材の回動促進面が接しているローラ部材が解錠方向への回動を促進する構造とした、
ことを特徴とする請求項２記載の錠装置。
【発明の詳細な説明】
【技術分野】
【０００１】
本発明は、錠装置にかかり、例えば保管ボックスやロッカーなどの扉に錠装置の本体部分が取り付けられる錠装置に関するものである。
【背景技術】
【０００２】
従来、保管ボックスなどに取り付けられる錠装置として一般に知られているのは、保管ボックスなどの扉側に取り付けられた簡単な構造の錠装置であり、例えば当該錠装置の鍵穴にキーを差し込んで回動し、もって錠装置内部に設けられた施錠片などを回転させ、該施錠片を保管ボックスの枠側に設けられた受け部に係止して、保管ボックスの扉を施錠するタイプのものである。
【先行技術文献】
【特許文献】
【０００３】
【特許文献１】実公平０５−４６６２４号公報
【発明の概要】
【発明が解決しようとする課題】
【０００４】
しかしながら、簡単な機構で、かつコストを安価にした、いわゆる自動施錠機能を有する前記保管ボックス、あるいはロッカーなどに使用される錠装置はいまだ提案されてはいない。
【０００５】
例えば、キーを使用せずに、扉を手で閉めただけで施錠することが出来、しかも手で扉を押す力が軽くても、確実に施錠することができ、また、解錠する際には、例えば、カードをかざすだけで、あるいはボタンを押すだけで自動的に解錠できるなどの錠装置は提案されていない。
【０００６】
かくして、本発明は前記従来の課題に鑑み創案されたものであって、簡単な機構で、かつコストを安価にした、いわゆる自動施錠機能を有する前記保管ボックス、あるいはロッカーなどに使用できる錠装置であり、またキーを使用せずに、扉を手で閉めただけで施錠することが出来、しかも手で扉を押す力が軽くても、確実に施錠することができ、さらに、解錠する際には、例えば、カードをかざすだけであるいはボタンを押すだけで自動的に解錠できるなどの利点を有する錠装置を提供することを目的とするものである。
【０００７】
特に、近年錠装置を小型化すべくギアードモータを使用した錠が頻繁に使用されるに至っている。
ギアードモータを使用した錠は、前記した小型化できることに留まらず、非常に小さなギアードモータを使用するため、電池（１．５V〜３．５V）での作動が可能であり、しかも、そのギアードモータも一方向で一回転のみの動作でしか用いていないため、きわめて超省エネ設計にしうる。さらに、きわめて超省エネ設計でありながら、約７Kgfの背圧が掛かっていても電気的解錠が可能であるなど優れた利点を有している。
【０００８】
かくして、本発明は、近年の保管ボックス、ロッカーなどの錠装置につき、改良を重ね、例えばギアードモータを組み込んだ錠を保管ボックスなどの小型のボックスに使用して、もって、コストを安価にした上で、非常に小さなギアードモータを使用できるため、電池（１．５V〜３．５V）での作動が可能であり、しかも、そのギアードモータも一方向で一回転のみの動作でしか用いていないため、きわめて超省エネ設計になしえる錠装置を提供できるのである。
【課題を解決するための手段】
【０００９】
本発明は、
解錠方向へ付勢力を有して略中間位置で回動可能に軸支され、先端側には施錠用フック部を有し、後端側には表面あるいは裏面が回動促進面とされた施錠部材と、
前記施錠部材の回動促進面側に付勢力を有して取り付けられ、前記回動促進面に接して前記施錠部材の施解錠方向への回動をスムーズにすると共に前記施錠部材の施錠後には、該施錠部材の端面に当接して施錠部材の解錠側回動を阻止するローラ部材と、
前記施錠部材を施錠した後、前記ローラ部材を揺動して施錠部材の端面との当接を解除させ、解錠するローラ部材揺動装置と、を有する、
ことを特徴とし、
または、
前記ローラ部材は、２個並列に取り付けられた、
ことを特徴とし、
または、
前記施錠部材の施錠に際しては、施錠部材の施錠時に前記施錠部材の回動促進面が接しているローラ部材が施錠方向への回動を促進し、施錠部材の解錠に際しては、施錠部材の解錠時に前記施錠部材の回動促進面が接しているローラ部材が解錠方向への回動を促進する構造とした、
ことを特徴とするものである。
【発明の効果】
【００１０】
本発明の錠装置によれば、簡単な機構で、かつコストを安価にした、いわゆる自動施錠機能を有する錠を提供でき、前記保管ボックス、あるいはロッカーなどに使用できて例えば、キーを使用せずに、扉を手で閉めて施錠することが出来、しかも手で扉を押す力が軽くても、確実に施錠することができ、さらに、解錠する際には、例えば、カードをかざすだけで自動的に解錠できるなどの優れた利点を有する錠装置を提供できる。
【００１１】
特に、近年、特に錠装置を小型化できるギアードモータを使用した錠が頻繁に使用されるに至っており、ギアードモータを使用した錠は、前記した小型化できることに留まらず、非常に小さなギアードモータを使用するため、電池（１．５V〜３．５V）での作動が可能であり、しかも、そのギアードモータも一方向で一回転のみの動作でしか用いていないため、きわめて超省エネ設計にしうる。さらに、きわめて超省エネ設計でありながら、約７Kgfの背圧が掛かっていても電気的解錠が可能であるなど優れた利点がある。
【００１２】
よって、近年の保管ボックス、ロッカーなどの錠装置につき、改良を重ね、ギアードモータを組み込んだ電気錠を保管ボックスなどの小型のボックスに使用して、もって、コストを安価にした上で、非常に小さなギアードモータを使用できるため、電池（１．５V〜３．５V）での作動が可能であり、しかも、そのギアードモータも一方向で一回転のみの動作でしか用いていないため、きわめて超省エネ設計になしえる錠装置を提供できるのである。
【図面の簡単な説明】
【００１３】
【図１】本発明の構成を説明する構成説明図（１）である。
【図２】本発明の構成を説明する構成説明図（２）である。
【発明を実施するための形態】
【００１４】
以下、本発明を図に示す実施例に基づき説明する。
【００１５】
図１は本発明による錠装置を示す構成説明図である。
図１において、符号１は施錠部材を示す。該施錠部材１は、解錠方向、すなわち時計回り方向へ常に付勢力を有して略中間位置の回動軸２で回動可能に軸支されている。前記付勢力は、バネ部材などの弾性部材７で与えられている。
【００１６】
そして、この施錠部材１の先端側には二股状に形成された施錠用フック部３を有し、施錠用フック部３の中間に設けられた凹みが錠受け部４として構成されている。
この錠受け部４に、保管ボックスやロッカーの枠側に設けられたフック受け金具１６が遊嵌して施錠状態となる。
【００１７】
さらに、前記回動軸２からの後方側には、施錠部材１の裏面部が後述するローラ部材６が施錠時や解錠時に当接するものとなるが、その際において施錠部材１の回動をスムーズにし、また案内部ともなる様に回動促進面５とされている。
【００１８】
ローラ部材６は、前記施錠部材１の回動促進面５側にバネなどの弾性部材７により常に付勢力を与えられて取り付けられている。
そして、該ローラ部材６は、前述したように前記回動促進面５に接した状態で回転出来るように構成されていて、もって前記施錠部材１の施解錠方向への回動が阻害されないよう、比較的スムーズに回動できるよう工夫されている。
【００１９】
ここで、図１に示されるように、ローラ部材６は並列にして２個設けられており、施錠部材１の施錠に際しては、施錠部材１の施錠時に前記施錠部材１の回動促進面５が接しているローラ部材６が施錠方向への回動を促進する機能を果たし、施錠部材１の解錠に際しては、施錠部材１の解錠時に前記施錠部材１の回動促進面５が接しているローラ部材６が解錠方向への回動を促進する機能を果たす構造としてある。
【００２０】
前記施錠部材１の施錠後には、前記したように、ローラ部材６が施錠部材１の回動促進面５側にバネなどの弾性部材７により常に付勢力を与えられて取り付けられているため、施錠部材１の端面８側に前記ローラ部材６が飛び出し、該施錠部材１の端面８に当接して該施錠部材１の解錠側回動を阻止する様構成される。
【００２１】
そして、前記施錠部材１を施錠した後、解錠するには、ローラ部材揺動装置９によってローラ部材６を揺動させることにより行われる。すなわち、飛び出したローラ部材６を下側に引っ込めて、施錠部材１の解錠側の回動を許容する。すなわち、ローラ部材６と施錠部材１端面との当接を解除する構成が採用されるのである。
【００２２】
ここで、前記のように本実施例ではローラ部材６が並列状態で２個設けてあるが、これに限定されるものではなく、１個でもかまわないし、２個以上でもかまわない。
【００２３】
また、前記ローラ部材６を引っ込めたりして揺動させるローラ部材揺動装置９についてであるが、図２に示す様に、ローラ部材６を引っ張って引っ込め、ローラ部材６と施錠部材１の端面８との当接を解除するよう形成され、ローラ部材６を保持しているローラホルダー１０と、該ローラホルダー１０の引っ張り、引っ込め作動を行うモータ装置１１とを備えて構成される。
【００２４】
図２に示すように、ローラホルダー１０は、ローラ部材６を引っ張って引っ込めさせるべくローラ部材６に係止するローラ部材係止部１２と、該ローラ部材係止部１２を引っ張って引っ込めさせる作動部１３とを有している。
【００２５】
ここで、前記ローラホルダー１０はその長手方向中間位置の回動軸２で回動可能に軸支されており、通常、ローラホルダー１０は前記ローラ部材６を保持して常にローラ部材６を施錠部材１の回動促進面５側にバネなどの弾性部材７により付勢力を与えられて取り付けられていることすでに述べたとおりである。
【００２６】
作動部１３は、前記ローラホルダー１０の後部に設けられており、例えば、ギアードモータなどの回転軸１４が回転して、該回転軸１４に取り付けられた回転体１５が前記作動部１３を叩く様構成され、該作動部１３が回転体１５に叩かれて押されることにより、ローラホルダー１０は、前記施錠部材１の回動促進面５側にバネなどの弾性部材７により与えられた付勢力に抗して回動し、もって、ローラ部材６を引っ張って引っ込め、ローラ部材６と施錠部材１の端面８との当接を解除するものとしている。
【００２７】
ローラ部材６と施錠部材１の端面８との当接が解除されると、施錠部材１は解錠方向の付勢力によって、解錠方向側へ回動し、もって自動的にフック受け金具１６が二股状間の凹みに構成された錠受け部４から外れ、自動的に解錠状態となる。
【００２８】
以上において、本発明の動作につき説明する。
図１から理解できるように、扉側に装着されている錠装置を施錠すべく、図１において左から右側へ扉を閉める操作をする。すると、保管ボックスやロッカーの枠側に取り付けてあるフック受け金具１６が解錠方向に付勢されている施錠部材１を施錠方向へ押し、自動的にフック受け金具１６が施錠部材１の錠受け部４内に入り、施錠状態となる。すなわち施錠部材１は解錠方向への付勢力に抗して垂直状態の位置、換言すれば施錠の位置となる。そして、この施錠位置において、ローラ部材６がその付勢力によって上方に飛び出し、飛び出したローラ部材６が施錠部材１の端面８に当接して、施錠部材１の解錠方向への回動を阻止するものとなる。
【００２９】
解錠に際しては、前記施錠部材１の端面８に当接し、施錠部材１の解錠方向への回動を阻止しているローラ部材６を下側へ引っ込める必要がある。
【００３０】
この作業は、ローラ部材揺動装置９によって行われる。例えば、扉の表面にカードをかざす、あるいは扉の表面にあるボタンを押すなどの操作を行うと、モータ装置１１が作動して回転軸１４に取り付けられた回転体１５が回転する。すると、回転した回転体１５がローラホルダー１０の作動部１３を叩いて押す。すると、ローラホルダー１０は回動し、ローラホルダー１０に保持されているローラ部材６が引っ込み、もって施錠部材１の端面８に当接し、施錠部材１の解錠方向への回動を阻止している状態が解除される。
【００３１】
すると、施錠部材１は、解錠方向への付勢力により解錠方向へ回動し、錠受け部４より錠受け金具１６を排出して、自動的に解錠する。
【符号の説明】
【００３２】
１    施錠部材
２    回動軸
３    施錠用フック部
４    錠受け部
５    回動促進面
６    ローラ部材
７    弾性部材
８    施錠部材の端面
９    ローラ部材揺動装置
１０  ローラホルダー
１１  モータ装置
１２  ローラ部材係止部
１３  作動部
１４  回転軸
１５  回転体
１６  フック受け金具
【図１】
2018071109.tif 000003
【図２】
2018071109.tif 000004